(57)【要約】      （修正有）【課題】全系が小型でありながら高ズーム比でズーム全域で良好な光学特性を有したズームレンズを提供する。【解決手段】正、負、正の屈折力の第１レンズ群Ｌ１、第２レンズ群Ｌ２、第３レンズ群レンズ群Ｌ３、後群より構成され、ズーミングに際して隣り合うレンズ群の間隔が変化するズームレンズであって、第１レンズ群は正レンズと負レンズを有し、第１レンズ群に含まれる正レンズの材料のアッベ数をν１ｐ、部分分散比をθｇＦ１ｐとし、第１レンズ群は正レンズＧ１ｐと負レンズＧ１ｎを有し、第１レンズ群に含まれる負レンズの材料のアッベ数ν１ｎ、部分分散比θｇＦ１ｎ、正レンズＧ１ｐの焦点距離ｆ１ｐ、広角端における全系の焦点距離ｆｗに関し、所定の条件式を満足する。【選択図】図１
2016212248.tif 000002
【特許請求の範囲】
【請求項１】
物体側から像側へ順に、正の屈折力の第１レンズ群、負の屈折力の第２レンズ群、正の屈折力の第３レンズ群、１つ以上のレンズ群を有する後群より構成され、
広角端から望遠端へのズーミングに際して前記第１レンズ群と前記第２レンズ群との間隔は広がり、前記第２レンズ群と前記第３レンズ群との間隔は狭まり、ズーミングに際して隣り合うレンズ群の間隔が変化するズームレンズであって、
前記第１レンズ群は正レンズと負レンズを有し、
前記第１レンズ群に含まれる正レンズの材料のアッベ数をν１ｐ、部分分散比をθｇＦ１ｐとしたとき、前記第１レンズ群は、
ν１ｐ＜６０．０
１．５７１×１０−５×ν１ｐ２−３．４３７×１０−３×ν１ｐ＋６．９７６×１０−１＜θｇＦ１ｐ
なる条件式を満足する正レンズＧ１ｐを有し、
前記第１レンズ群に含まれる負レンズの材料のアッベ数をν１ｎ、部分分散比をθｇＦ１ｎとしたとき、前記第１レンズ群は、
ν１ｎ＜２７．０
θｇＦ１ｎ＜−２．７５０×１０−３×ν１ｎ＋６．８２０×１０−１
なる条件式を満足する負レンズＧ１ｎを有し、
前記正レンズＧ１ｐの焦点距離をｆ１ｐ、広角端における全系の焦点距離をｆｗとするとき、
２．６＜ｆ１ｐ／ｆｗ＜３０．０
なる条件式を満足することを特徴とするズームレンズ。
【請求項２】
前記負レンズＧ１ｎの焦点距離をｆ１ｎとするとき、
−５０．０＜ｆ１ｎ／ｆｗ＜−６．０
なる条件式を満足することを特徴とする請求項１に記載のズームレンズ。
【請求項３】
前記負レンズＧ１ｎの中心肉厚をｄ１ｎ、前記第１レンズ群の焦点距離をｆ１とするとき、
０．００５＜ｄ１ｎ／ｆ１＜０．０５０
なる条件式を満足することを特徴とする請求項１又は２に記載のズームレンズ。
【請求項４】
前記正レンズＧ１ｐの中心肉厚をｄ１ｐ、前記第１レンズ群の焦点距離をｆ１とするとき、
０．０３０＜ｄ１ｐ／ｆ１＜０．２００
なる条件式を満足することを特徴とする請求項１乃至３のいずれか１項に記載のズームレンズ。
【請求項５】
前記負レンズＧ１ｎの像側に前記正レンズＧ１ｐが配置されており、前記負レンズＧ１ｎの像側のレンズ面から前記正レンズＧ１ｐの物体側のレンズ面までの光軸上の距離をｄ１ａ、前記第１レンズ群の焦点距離をｆ１とするとき、
０．００２＜ｄ１ａ／ｆ１＜０．０７０
なる条件式を満足することを特徴とする請求項１乃至４のいずれか１項に記載のズームレンズ。
【請求項６】
請求項１乃至５のいずれか１項に記載のズームレンズにおいて、
−０．００２＜（θｇＦ１ｎ−θｇＦ１ｐ）／（ν１ｎ−ν１ｐ）＜０．００２
なる条件式を満足することを特徴とするズームレンズ。
【請求項７】
前記負レンズＧ１ｎの材料の屈折率をＮ１ｎとするとき、
１．７７＜Ｎ１ｎ
なる条件式を満足することを特徴とする請求項１乃至６のいずれか１項に記載のズームレンズ。
【請求項８】
前記第１レンズ群の焦点距離をｆ１とするとき、
３．０＜ｆ１／ｆｗ＜５０．０
なる条件式を満足することを特徴とする請求項１乃至７のいずれか１項に記載のズームレンズ。
【請求項９】
前記第２レンズ群の焦点距離をｆ２とするとき、
−５．０＜ｆ２／ｆｗ＜−０．５
なる条件式を満足することを特徴とする請求項１乃至８のいずれか１項に記載のズームレンズ。
【請求項１０】
前記第３レンズ群の焦点距離をｆ３とするとき、
１．３＜ｆ３／ｆｗ＜８．０
なる条件式を満足することを特徴とする請求項１乃至９のいずれか１項に記載のズームレンズ。
【請求項１１】
広角端から望遠端へのズーミングに際しての前記第１レンズ群の移動量をＭ１とするとき、
−２０．０＜Ｍ１／ｆｗ＜−０．７
なる条件式を満足することを特徴とする請求項１乃至１０のいずれか１項に記載のズームレンズ。
【請求項１２】
広角端から望遠端へのズーミングに際しての前記第３レンズ群の移動量をＭ３とするとき、
−６．０＜Ｍ３／ｆｗ＜−０．１
なる条件式を満足することを特徴とする請求項１乃至１１のいずれか１項に記載のズームレンズ。
【請求項１３】
前記後群は物体側から像側へ順に、負の屈折力の第４レンズ群、正の屈折力の第５レンズ群より構成されることを特徴とする請求項１乃至１２のいずれか１項に記載のズームレンズ。
【請求項１４】
前記後群は、正の屈折力の第４レンズ群より構成されることを特徴とする請求項１乃至１２のいずれか１項に記載のズームレンズ。
【請求項１５】
前記後群は物体側から像側へ順に、正の屈折力の第４レンズ群、負の屈折力の第５レンズ群、正の屈折力の第６レンズ群より構成されることを特徴とする請求項１乃至１２のいずれか１項に記載のズームレンズ。
【請求項１６】
前記後群は物体側から像側へ順に、正の屈折力の第４レンズ群、負の屈折力の第５レンズ群より構成されることを特徴とする請求項１乃至１２のいずれか１項に記載のズームレンズ。
【請求項１７】
請求項１乃至１６のいずれか１項に記載のズームレンズと、該ズームレンズによって形成される像を受光する光電変換素子を有することを特徴とする撮像装置。
【発明の詳細な説明】
【技術分野】
【０００１】
本発明はズームレンズ及びそれを有する撮像装置に関し、例えばビデオカメラ、電子スチルカメラ、放送用カメラ、監視カメラ等のように固体撮像素子を用いた撮像装置、或いは銀塩フィルムを用いたカメラ等の撮像装置に好適なものである。
【背景技術】
【０００２】
近年、固体撮像素子を用いた撮像装置は装置全体が小型化されている。そしてそれに用いる撮像光学系としてはレンズ全長が短く、コンパクト（小型）で、高ズーム比（高変倍比）のズームレンズであること等が要求されている。
【０００３】
特に球面収差、コマ収差などの単色（短波長）収差の補正に加え、色収差も良好に補正された高解像力のズームレンズであることが要求されている。これらの要求に応えるズームレンズとして、物体側より像側へ順に、正、負、正の屈折力を有する第１、第２、第３レンズ群と、それに続く１つ以上のレンズ群を含む後群を有するポジティブリード型のズームレンズが知られている（特許文献１、２）。
【０００４】
特許文献１では物体側より像側へ順に、正、負、正、正の屈折力の第１レンズ群乃至第４レンズ群より成る４群ズームレンズを開示している。更に特許文献１では物体側より像側へ順に、正、負、正、負、正の屈折力の第１レンズ群乃至第５レンズ群より成る５群ズームレンズを開示している。更に特許文献１では物体側から像側へ順に、正、負、正、正、正の屈折力の第１レンズ群乃至第５レンズ群より成る５群ズームレンズを開示している。
【０００５】
特許文献１では前述した構成のズームレンズにおいて正の屈折力の第１レンズ群を構成する接合レンズの少なくとも１つのレンズに適切なる部分分散性の材料を用いて色収差を良好に補正している。特許文献２では物体側より順に、正、負、正、正、負の屈折力のレンズ群より成る５群構成ズームレンズにおいて第１レンズ群に部分分散比の材料より成るレンズを用いて色収差を良好に補正している。
【先行技術文献】
【特許文献】
【０００６】
【特許文献１】特開２００８−１９１２９１号公報
【特許文献２】特開２００９−２２２８０４号公報
【発明の概要】
【発明が解決しようとする課題】
【０００７】
前述したポジティブリード型の４群ズームレンズや５群ズームレンズは全系の小型化を図りつつ、高ズーム比化を図ることが比較的容易である。しかしながら、望遠端での焦点距離を長く（長焦点距離化）しつつ、高ズーム比化を図ると望遠側のズーム領域において、球面収差、コマ収差、色収差等の諸収差が多く発生してくる。
【０００８】
また、ポジティブリードのズームレンズにおいて、軸上光線は第１レンズ群を中心から離れた位置を通る。このため第１レンズ群より、軸上色収差の二次スペクトルや、色による球面収差等が多く発生してくる。色収差を軽減するために第１レンズ群に異常分散性のある材料を用いれば、望遠端において軸上色収差の二次スペクトルを小さくすることが容易となる。しかしながら望遠端において軸上色収差の低減をするために、単に異常分散性のある材料を使用すると、広角端において倍率色収差が増加してくる。
【０００９】
一方、前述したポジティブリード型のズームレンズでは第１レンズ群の大きさがズームレンズ全体の大きさに大きく影響する。このため、ポジティブリード型のズームレンズにおいて、全系の小型化を図りつつ、高ズーム比で全ズーム範囲にわたり高い光学性能を得るには、第１レンズ群の屈折力やレンズ構成等を適切に設定することが重要になってくる。
【００１０】
この他、全系の小型化を図りつつ、高ズーム比化を達成するには変倍用の第２レンズ群の屈折力やズーミングに際して移動する第３レンズ群の屈折力等を適切に設定することが重要になってくる。これらの構成を適切に設定しないと、全系の小型化を図りつつ、高ズーム比で、全ズーム範囲で高い光学性能のズームレンズを得るのが難しくなってくる。
【００１１】
本発明は、全系が小型でありながら、高ズーム比でズーム全域で良好な光学特性が得られるズームレンズ及びそれを有する撮像装置の提供を目的とする。
【課題を解決するための手段】
【００１２】
本発明のズームレンズは、物体側から像側へ順に、正の屈折力の第１レンズ群、負の屈折力の第２レンズ群、正の屈折力の第３レンズ群、１つ以上のレンズ群を有する後群より構成され、
広角端から望遠端へのズーミングに際して前記第１レンズ群と前記第２レンズ群との間隔は広がり、前記第２レンズ群と前記第３レンズ群との間隔は狭まり、ズーミングに際して隣り合うレンズ群の間隔が変化するズームレンズであって、
前記第１レンズ群は正レンズと負レンズを有し、
前記第１レンズ群に含まれる正レンズの材料のアッベ数をν１ｐ、部分分散比をθｇＦ１ｐとしたとき、前記第１レンズ群は、
ν１ｐ＜６０．０
１．５７１×１０−５×ν１ｐ２−３．４３７×１０−３×ν１ｐ＋６．９７６×１０−１＜θｇＦ１ｐ
なる条件式を満足する正レンズＧ１ｐを有し、
前記第１レンズ群に含まれる負レンズの材料のアッベ数をν１ｎ、部分分散比をθｇＦ１ｎとしたとき、前記第１レンズ群は、
ν１ｎ＜２７．０
θｇＦ１ｎ＜−２．７５０×１０−３×ν１ｎ＋６．８２０×１０−１
なる条件式を満足する負レンズＧ１ｎを有し、
前記正レンズＧ１ｐの焦点距離をｆ１ｐ、広角端における全系の焦点距離をｆｗとするとき、
２．６＜ｆ１ｐ／ｆｗ＜３０．０
なる条件式を満足することを特徴としている。
【発明の効果】
【００１３】
本発明によれば、全系が小型でありながら高ズーム比でズーム全域で良好な光学特性を有したズームレンズが得られる。
【図面の簡単な説明】
【００１４】
【図１】（Ａ）、（Ｂ）、（Ｃ）  本発明の実施例１の広角端、中間のズーム位置、望遠端におけるレンズ断面図
【図２】（Ａ）、（Ｂ）、（Ｃ）  本発明の実施例１の広角端、中間のズーム位置、望遠端における収差図
【図３】（Ａ）、（Ｂ）、（Ｃ）  本発明の実施例２の広角端、中間のズーム位置、望遠端におけるレンズ断面図
【図４】（Ａ）、（Ｂ）、（Ｃ）  本発明の実施例２の広角端、中間のズーム位置、望遠端における収差図
【図５】（Ａ）、（Ｂ）、（Ｃ）  本発明の実施例３の広角端、中間のズーム位置、望遠端におけるレンズ断面図
【図６】（Ａ）、（Ｂ）、（Ｃ）  本発明の実施例３の広角端、中間のズーム位置、望遠端における収差図
【図７】（Ａ）、（Ｂ）、（Ｃ）  本発明の実施例４の広角端、中間のズーム位置、望遠端におけるレンズ断面図
【図８】（Ａ）、（Ｂ）、（Ｃ）  本発明の実施例４の広角端、中間のズーム位置、望遠端における収差図
【図９】（Ａ）、（Ｂ）、（Ｃ）  本発明の実施例５の広角端、中間のズーム位置、望遠端におけるレンズ断面図
【図１０】（Ａ）、（Ｂ）、（Ｃ）  本発明の実施例５の広角端、中間のズーム位置、望遠端における収差図
【図１１】（Ａ）、（Ｂ）、（Ｃ）  本発明の実施例６の広角端、中間のズーム位置、望遠端におけるレンズ断面図
【図１２】（Ａ）、（Ｂ）、（Ｃ）  本発明の実施例６の広角端、中間のズーム位置、望遠端における収差図
【図１３】（Ａ）、（Ｂ）、（Ｃ）  本発明の実施例７の広角端、中間のズーム位置、望遠端におけるレンズ断面図
【図１４】（Ａ）、（Ｂ）、（Ｃ）  本発明の実施例７の広角端、中間のズーム位置、望遠端における収差図
【図１５】本発明の撮像装置の要部概略図
【発明を実施するための形態】
【００１５】
以下に本発明の好ましい実施の形態を、添付の図面に基づいて詳細に説明する。本発明のズームレンズは、物体側から像側へ順に、正の屈折力（光学的パワー＝焦点距離の逆数）の第１レンズ群、負の屈折力の第２レンズ群、正の屈折力の第３レンズ群、１以上のレンズ群を含む後群より構成されている。ズーミングに際しては隣り合うレンズ群の間隔が変化する。
【００１６】
図１（Ａ）、（Ｂ）、（Ｃ）は、本発明の実施例１の広角端、中間のズーム位置、望遠端におけるレンズ断面図である。図２（Ａ）、（Ｂ）、（Ｃ）は実施例１のズームレンズの広角端、中間のズーム位置、望遠端における収差図である。実施例１はズーム比２８．９６、開口比３．２７〜７．４９程度のズームレンズである。
【００１７】
図３（Ａ）、（Ｂ）、（Ｃ）は、本発明の実施例２の広角端、中間のズーム位置、望遠端におけるレンズ断面図である。図４（Ａ）、（Ｂ）、（Ｃ）は実施例２のズームレンズの広角端、中間のズーム位置、望遠端における収差図である。実施例２はズーム比１１．６０、開口比３．６７〜７．１９程度のズームレンズである。
【００１８】
図５（Ａ）、（Ｂ）、（Ｃ）は、本発明の実施例３の広角端、中間のズーム位置、望遠端におけるレンズ断面図である。図６（Ａ）、（Ｂ）、（Ｃ）は実施例３のズームレンズの広角端、中間のズーム位置、望遠端における収差図である。実施例３はズーム比４．７２、開口比２．０６〜４．０２程度のズームレンズである。
【００１９】
図７（Ａ）、（Ｂ）、（Ｃ）は、本発明の実施例４の広角端、中間のズーム位置、望遠端におけるレンズ断面図である。図８（Ａ）、（Ｂ）、（Ｃ）は実施例４のズームレンズの広角端、中間のズーム位置、望遠端における収差図である。実施例４はズーム比３．９２、開口比１．８５〜２．８８程度のズームレンズである。
【００２０】
図９（Ａ）、（Ｂ）、（Ｃ）は、本発明の実施例５の広角端、中間のズーム位置、望遠端におけるレンズ断面図である。図１０（Ａ）、（Ｂ）、（Ｃ）は実施例５のズームレンズの広角端、中間のズーム位置、望遠端における収差図である。実施例５はズーム比６２．２１、開口比３．５０〜６．６９程度のズームレンズである。
【００２１】
図１１（Ａ）、（Ｂ）、（Ｃ）は、本発明の実施例６の広角端、中間のズーム位置、望遠端におけるレンズ断面図である。図１２（Ａ）、（Ｂ）、（Ｃ）は実施例６のズームレンズの広角端、中間のズーム位置、望遠端における収差図である。実施例６はズーム比６１．２１、開口比３．５０〜６．６９程度のズームレンズである。
【００２２】
図１３（Ａ）、（Ｂ）、（Ｃ）は、本発明の実施例７の広角端、中間のズーム位置、望遠端におけるレンズ断面図である。図１４（Ａ）、（Ｂ）、（Ｃ）は実施例７のズームレンズの広角端、中間のズーム位置、望遠端における収差図である。実施例７はズーム比１７．０４、開口比３．７７〜７．１０程度のズームレンズである。図１５は本発明のズームレンズを備えるデジタルスチルカメラ（撮像装置）の要部概略図である。
【００２３】
各実施例のズームレンズはビデオカメラ、デジタルスチルカメラ、銀塩フィルムカメラ、ＴＶカメラなどの撮像装置に用いられる撮像光学系である。尚、各実施例のズームレンズは投射装置（プロジェクタ）用の投射光学系として用いることもできる。レンズ断面図において、左方が物体側（前方）で、右方が像側（後方）である。また、レンズ断面図において、ｉを物体側からのレンズ群の順番とすると、Ｌｉは第ｉレンズ群を示す。ＬＲは１以上のレンズ群を有する後群である。
【００２４】
ＳＰは開口絞りである。Ｇは光学フィルター、フェースプレート、ローパスフィルター、赤外カットフィルターなどに相当する光学ブロックである。ＩＰは像面である。像面ＩＰは、ビデオカメラやデジタルカメラの撮影光学系としてズームレンズを使用する際には、ＣＣＤセンサやＣＭＯＳセンサなどの固体撮像素子（光電変換素子）の撮像面に相当する。銀塩フィルムカメラの撮影光学系としてズームレンズを使用する際には、フィルム面に相当する。
【００２５】
矢印は広角端から望遠端へのズーミング（変倍）に際して、各レンズ群の移動軌跡を示している。球面収差図において、実線ｄはｄ線（波長５８７．６ｎｍ）、二点鎖線ｇはｇ線（波長４３５．８ｎｍ）である。非点収差図において実線Ｓはｄ線におけるサジタル像面、破線Ｍはメリディオナル像面である。歪曲収差はｄ線について示している。倍率色収差図において二点鎖線ｇはｇ線である。尚、以下の各実施例において広角端と望遠端は変倍用のレンズ群が機構上、光軸上を移動可能な範囲の両端に位置したときのズーム位置をいう。
【００２６】
各実施例におけるズームレンズは、物体側から像側へ順に、正の屈折力の第１レンズ群Ｌ１、負の屈折力の第２レンズ群Ｌ２、正の屈折力の第３レンズ群Ｌ３、１つ以上のレンズ群を有する後群ＬＲより構成されている。広角端から望遠端へのズーミングに際して第１レンズ群Ｌ１と第２レンズ群Ｌ２との間隔は広がり、第２レンズ群Ｌ２と第３レンズ群Ｌ３との間隔は狭まり、ズーミングに際して隣り合うレンズ群の間隔が変化する。
【００２７】
第１レンズ群Ｌ１は正レンズと負レンズを有する。第１レンズ群Ｌ１に含まれる正レンズの材料のアッベ数をν１ｐ、部分分散比をθｇＦ１ｐとする。このとき第１レンズ群Ｌ１は、
ν１ｐ＜６０．０    ・・・（１）
１．５７１×１０−５×ν１ｐ２−３．４３７×１０−３×ν１ｐ＋６．９７６×１０−１＜θｇＦ１ｐ                                          ・・・（２）
なる条件式を満足する正レンズＧ１ｐを有する。
【００２８】
第１レンズ群Ｌ１に含まれる負レンズの材料のアッベ数をν１ｎ、部分分散比をθｇＦ１ｎとする。このとき、第１レンズ群Ｌ１は、
ν１ｎ＜２７．０      ・・・（３）
θｇＦ１ｎ＜−２．７５０×１０−３×ν１ｎ＋６．８２０×１０−１  ・・・（４）
なる条件式を満足する負レンズＧ１ｎを有する。
【００２９】
正レンズＧ１ｐの焦点距離をｆ１ｐ、広角端における全系の焦点距離をｆｗとするとき、
２．６＜ｆ１ｐ／ｆｗ＜３０．０    ・・・（５）
なる条件式を満足する。
【００３０】
ここで、材料のアッベ数νｄと部分分散比θｇＦは、ｇ線、Ｆ線（４８６．１ｎｍ）、Ｃ線（６５６．３ｎｍ）、ｄ線に対する材料の屈折率をそれぞれＮｇ、ＮＦ、ＮＣ、Ｎｄとする。このとき、
νｄ＝（Ｎｄ−１）／（ＮＦ−ＮＣ）
θｇＦ＝（Ｎｇ−ＮＦ）／（ＮＦ−ＮＣ）
で表される量である。
【００３１】
次に前述の各条件式の技術的意味について説明する。条件式（１）は第１レンズ群Ｌ１に含まれる少なくとも１枚の正レンズＧ１ｐのアッベ数を規定する。条件式（１）の上限値を超えてアッベ数が大きくなり低分散材料になると一次の色消しの点では有利となるが、実在するレンズ材料においては屈折率が低い。第１レンズ群Ｌ１を小型化するために正レンズをなるべく少ない枚数で構成しようとしてある程度屈折力を強めると、レンズ面の曲率がきつくなり広角側において像面湾曲、望遠側において球面収差が多く発生してくる。
【００３２】
条件式（２）は第１レンズ群Ｌ１の少なくとも１枚の正レンズＧ１ｐの材料の部分分散比を規定する。条件式（２）の下限値を超えて部分分散比が小さすぎると望遠側において二次スペクトルが増大する。この場合、特に高輝度の被写体がある場合に色にじみが多く発生してくる。
【００３３】
条件式（３）は第１レンズ群Ｌ１の少なくとも１枚の負レンズＧ１ｎの材料のアッベ数を規定する。条件式（３）の下限値を超えてアッベ数が大きくなると一次の色消しを行う作用が低下する。一次の色消し作用を強めようとして負レンズＧ１ｎの負の屈折力を強めると、望遠側において球面収差およびコマ収差が増大してくる。
【００３４】
条件式（４）は第１レンズ群Ｌ１の少なくとも１枚の負レンズＧ１ｎの材料の部分分散比を規定する。条件式（４）の上限値を超えて部分分散比が大きすぎると望遠側において二次スペクトルが増大する。この場合、特に高輝度の被写体がある場合に色にじみが多く発生してくる。
【００３５】
条件式（５）は第１レンズ群Ｌ１において条件式（１）、（２）を満足する正レンズＧ１ｐの焦点距離すなわち正の屈折力を規定する。条件式（５）の上限値を超えて焦点距離が長すぎる、すなわち正の屈折力が弱すぎると、第１レンズ群Ｌ１の正の屈折力が弱すぎてきてレンズ全長が増大してくる。また下限値を超えて焦点距離が短くなりすぎる、すなわち正の屈折力が強すぎると、広角側において像面湾曲、望遠側において球面収差が増大してくる。
【００３６】
更に好ましくは条件式（１）、（３）、（５）の数値範囲を次の如く設定するのが良い。
ν１ｐ＜５７．０                                ・・・（１ａ）
ν１ｎ＜２５．０                                ・・・（３ａ）
３．０＜ｆ１ｐ／ｆｗ＜２９．０                  ・・・（５ａ）
【００３７】
各実施例において更に好ましくは次の条件式のうち１つ以上を満足するのが良い。負レンズＧ１ｎの焦点距離をｆ１ｎとする。負レンズＧ１ｎの中心肉厚をｄ１ｎ、第１レンズ群Ｌ１の焦点距離をｆ１とする。正レンズＧ１ｐの中心肉厚をｄ１ｐとする。負レンズＧ１ｎの像側に正レンズＧ１ｐが配置されているとき、負レンズＧ１ｎの像側のレンズ面から正レンズＧ１ｐの物体側のレンズ面までの光軸上の距離をｄ１ａとする。負レンズＧ１ｎの材料の屈折率をＮ１ｎとする。第２レンズ群Ｌ２の焦点距離をｆ２とする。第３レンズ群Ｌ３の焦点距離をｆ３とする。
【００３８】
広角端から望遠端へのズーミングに際しての第１レンズ群Ｌ１の移動量をＭ１とする。広角端から望遠端へのズーミングに際しての第３レンズ群Ｌ３の移動量をＭ３とする。このとき次の条件式のうち１つ以上を満足するのが良い。
【００３９】
−５０．０＜ｆ１ｎ／ｆｗ＜−６．０                ・・・（６）
０．００５＜ｄ１ｎ／ｆ１＜０．０５０              ・・・（７）
０．０３０＜ｄ１ｐ／ｆ１＜０．２００              ・・・（８）
０．００２＜ｄ１ａ／ｆ１＜０．０７０              ・・・（９）
−０．００２＜（θｇＦ１ｎ−θｇＦ１ｐ）／（ν１ｎ−ν１ｐ）＜０．００２
・・・（１０）
１．７７＜Ｎ１ｎ                                  ・・・（１１）
３．０＜ｆ１／ｆｗ＜５０．０                      ・・・（１２）
−５．０＜ｆ２／ｆｗ＜−０．５                    ・・・（１３）
１．３＜ｆ３／ｆｗ＜８．０                        ・・・（１４）
−２０．０＜Ｍ１／ｆｗ＜−０．７                  ・・・（１５）
−６．０＜Ｍ３／ｆｗ＜−０．１                    ・・・（１６）
【００４０】
ここでレンズ群の移動量の符号は広角端から望遠端へのズーミングによって移動した結果、その位置が広角端に比べて望遠端において物体側に位置するときを負、像側に位置するときを正とする。
【００４１】
次に前述の各条件式の技術的意味について説明する。条件式（６）は第１レンズ群Ｌ１に含まれる負レンズＧ１ｎの焦点距離すなわち負の屈折力を規定する。条件式（６）の下限値を超えて負の焦点距離が長くなりすぎる、すなわち負の屈折力が弱くなりすぎると、一次の色消しを行う作用が低下し、全ズーム領域において軸上色収差、倍率色収差が補正不足になってくる。条件式（６）の上限値を超えて負の焦点距離が短くなりすぎると、すなわち負の屈折力が強くなりすぎると、望遠側において球面収差およびコマ収差が増大してくる。
【００４２】
条件式（７）は第１レンズ群Ｌ１に含まれる負レンズＧ１ｎの中心肉厚（厚さ）を規定する。条件式（７）の上限値を超えて中心肉厚が厚すぎると、負レンズＧ１ｎが大型化および高重量化してくる。第１レンズ群Ｌ１は他のレンズ群と比べて有効径が大きいため全系の大型化、高重量化につながるため、良くない。条件式（７）の下限値を超えて中心肉厚が薄すぎると、加工上、レンズ面の面精度を良好に維持するのが難しくなる。特にレンズ面の中心域と周辺域との曲率差が生じると望遠側において像面湾曲が多く生じる。
【００４３】
また中心域において光軸を含み互いに直行する二つの断面にて曲率差が生じると、望遠側においてピント位置がアジムスによって差が生じてくる。例えばレンズ面の水平方向と垂直方向でベストピント位置に差が生じ、どちらにピントを合わせても良好な解像感が得られなくなってくる。
【００４４】
条件式（８）は第１レンズ群Ｌ１に含まれる正レンズＧ１ｐの中心肉厚を規定する。条件式（８）の上限値を超えて中心肉厚が厚すぎると、正レンズＧ１ｐが大型化および高重量化してくる。第１レンズ群Ｌ１は他のレンズ群と比べて有効径が大きいため全系の大型化、高重量化につながるためよくない。条件式（８）の下限値を超えて中心肉厚が薄すぎると、加工上、レンズの縁の厚みが薄くなる。このようなレンズをホルダーに組み込むとレンズの外周とホルダーとの嵌合長さが小さくなり、組込後のレンズの倒れが生じやすくなる。これにより像面の倒れが生じてくるので良くない。
【００４５】
条件式（９）は第１レンズ群Ｌ１に含まれる負レンズＧ１ｎの像側レンズ面から第１レンズ群Ｌ１に含まれる正レンズＧ１ｐの物体側レンズ面までの光軸上の距離を規定する。第１レンズ群Ｌ１に含まれる負レンズＧ１ｎと正レンズＧ１ｐとは接合されていなく、空気層を隔てて配置される。
【００４６】
これは色収差の補正能力を高めるためである。特に望遠側において軸上色収差、倍率色収差を良好に補正するために効果がある。条件式（９）の上限値を超えて距離が長すぎると第１レンズ群Ｌ１の厚みが増えて第１レンズ群Ｌ１が大型化してくる。条件式（９）の下限値を超えて距離が短すぎると、色収差の補正能力が低下し望遠側において軸上色収差と倍率色収差を良好に補正することが難しくなる。
【００４７】
条件式（１０）は第１レンズ群Ｌ１に含まれる正レンズＧ１ｐの材料と負レンズＧ１ｎの材料におけるアッベ数の差に対する部分分散比の差を規定する。二次スペクトルを良好に補正するには条件式（１０）の分子である部分分散比の差はゼロに近い事が好ましい。また各レンズの屈折力を強めずに一次の色消しを良好に補正するには条件式（１０）の分母であるアッベ数の差は大きい方が好ましい。
【００４８】
よってこれらを両立するには条件式（１０）はゼロに近い事が好ましい。条件式（１０）の上限値および下限値を超えて条件式（１０）がゼロから遠のくと望遠側において二次スペクトルが多く発生する。この場合、特に高輝度の被写体がある場合に色にじみが多く発生してくる。
【００４９】
条件式（１１）は第１レンズ群Ｌ１に含まれる負レンズＧ１ｎの材料の屈折率を規定する。条件式（１１）の下限を超えて屈折率が小さすぎると、色収差の補正のためにある程度の屈折力を設けた際に、レンズ面の曲率がきつくなり望遠側において球面収差、コマ収差が多く発生してくる。
【００５０】
条件式（１２）は第１レンズ群Ｌ１の焦点距離すなわち屈折力を規定する。条件式（１２）の上限を超えて焦点距離が長すぎる、すなわち正の屈折力が弱すぎるとレンズ全長が増大し、全系の小型化が困難になる。条件式（１２）の下限を超えて焦点距離が短すぎると、すなわち正の屈折力が強すぎると広角側において像面湾曲、望遠側において球面収差が多く発生してくる。
【００５１】
条件式（１３）は第２レンズ群Ｌ２の焦点距離すなわち負の屈折力を規定する。条件式（１３）の下限値を超えて負の焦点距離が長すぎる（焦点距離の絶対値が大きくなりすぎる）、すなわち負の屈折力が弱すぎると、第２レンズ群Ｌ２の変倍作用が弱まり所望のズーム比を得るのが困難になる。また変倍作用を得ようとしてズーミングに際して第１レンズ群Ｌ１の移動量を大きくすると望遠端においてレンズ全長が増大し、全系の小型化が困難になる。上限を超えて負の焦点距離が短すぎると（焦点距離の絶対値が小さくなりすぎると）、すなわち負の屈折力が強すぎると広角側において像面湾曲が増大してくる。
【００５２】
条件式（１４）は第３レンズ群Ｌ３の焦点距離すなわち屈折力を規定する。条件式（１４）の上限を超えて焦点距離が長すぎる、すなわち正の屈折力が弱すぎると、第３レンズ群Ｌ３の変倍作用が薄れ所望のズーム比を得るのが困難になる。また変倍作用を補うためにズーミングに際して第１レンズ群Ｌ１の移動量を大きくすると望遠端においてレンズ全長が増大し全系の小型化が困難になる。条件式（１４）の下限を超えて焦点距離が短すぎる、すなわち正の屈折力が強すぎるとズーム全域において球面収差、コマ収差、軸上色収差が多く発生してくる。
【００５３】
条件式（１５）は第１レンズ群Ｌ１の広角端から望遠端へのズーミングに際しての移動量を規定する。条件式（１５）の上限を超えて物体側への移動量が小さすぎる場合は第１レンズ群Ｌ１と第２レンズ群Ｌ２の間隔を変えることによる変倍作用が弱まる。このため第１レンズ群Ｌ１の正の屈折力を強めて変倍作用を補おうとすると望遠側において球面収差が増大してくる。
【００５４】
また第２レンズ群Ｌ２の負の屈折力を強めて変倍作用を補おうとすると広角側において像面湾曲、望遠側において球面収差が多く発生してくる。条件式（１５）の下限値を超えて物体側への移動量が大きすぎる場合は望遠端においてレンズ全長が増大し全系の小型化が困難になる。
【００５５】
条件式（１６）は第３レンズ群Ｌ３の広角端から望遠端へのズーミングに際しての移動量を規定する。条件式（１６）の上限を超えて物体側への移動量が小さすぎる場合は第２レンズ群Ｌ２と第３レンズ群Ｌ３の間隔を変えることによる変倍作用が弱まる。このため第２レンズ群Ｌ２の負の屈折力を強めて変倍作用を補おうとすると広角側において像面湾曲、望遠側において球面収差が多く発生してくる。
【００５６】
また第３レンズ群Ｌ３の正の屈折力を強めて変倍作用を補おうとするとズーム全域において球面収差、コマ収差、軸上色収差が多く発生してくる。条件式（１６）の下限値を超えて物体側への移動量が大きすぎる場合は、望遠端におけるＦナンバーを所望の値としたときに第３レンズ群Ｌ３を通過する軸上光束の光軸からの高さが大きくなる。よって第３レンズ群Ｌ３を構成する各レンズの有効径が増大し全系の小型化が困難になる。特に第３レンズ群Ｌ３を光軸に垂直な方向にシフトさせて像ぶれ補正を行う際には、像ぶれ補正用の駆動機構が大型化してくる。
【００５７】
更に好ましくは条件式（６）乃至（１６）の数値範囲を次の如く設定するのが良い。
−４５．０＜ｆ１ｎ／ｆｗ＜−７．０                ・・・（６ａ）
０．０１０＜ｄ１ｎ／ｆ１＜０．０３０              ・・・（７ａ）
０．０３５＜ｄ１ｐ／ｆ１＜０．１６０              ・・・（８ａ）
０．００３＜ｄ１ａ／ｆ１＜０．０６０              ・・・（９ａ）
−０．００１８＜（θｇＦ１ｎ−θｇＦ１ｐ）／（ν１ｎ−ν１ｐ）＜０．００１
・・・（１０ａ）
１．７７５＜Ｎ１ｎ                                ・・・（１１ａ）
４．０＜ｆ１／ｆｗ＜４０．０                      ・・・（１２ａ）
−４．０＜ｆ２／ｆｗ＜−０．７                    ・・・（１３ａ）
１．５＜ｆ３／ｆｗ＜７．０                        ・・・（１４ａ）
−１８．０＜Ｍ１／ｆｗ＜−０．８                  ・・・（１５ａ）
−５．０＜Ｍ３／ｆｗ＜−０．３                    ・・・（１６ａ）
【００５８】
各実施例において、後群ＬＲは物体側から像側へ順に、負の屈折力の第４レンズ群、正の屈折力の第５レンズ群より構成される。又は後群ＬＲは、正の屈折力の第４レンズ群より構成される。又は後群ＬＲは物体側から像側へ順に、正の屈折力の第４レンズ群、負の屈折力の第５レンズ群、正の屈折力の第６レンズ群より構成される。又は後群ＬＲは物体側から像側へ順に、正の屈折力の第４レンズ群、負の屈折力の第５レンズ群より構成される。
【００５９】
次に各実施例のレンズ構成について説明する。図１の実施例１のレンズ断面図において、Ｌ１は正の屈折力の第１レンズ群、Ｌ２は負の屈折力の第２レンズ群、Ｌ３は正の屈折力の第３レンズ群、Ｌ４は負の屈折力の第４レンズ群、Ｌ５は正の屈折力の第５レンズ群である。後群ＬＲは第４レンズ群Ｌ４と第５レンズ群Ｌ５より構成されている。
【００６０】
また実施例１のレンズ断面図において、１１は第１レンズ群Ｌ１に含まれる負レンズＧ１ｎである。また１２、１３は第１レンズ群Ｌ１に含まれる正レンズＧ１ｐに相当している。第１レンズ群Ｌ１を２つの正レンズ１２、１３で構成し、第１レンズ群Ｌ１が有する正の屈折力を分担している。２つの正レンズ１２、１３で生じる色収差は負レンズ１１で補正している。
【００６１】
実施例１のズームレンズでは、広角端に対して望遠端にて、各レンズ群のレンズ群間隔の変化は次のとおりである。第１レンズ群Ｌ１と第２レンズ群Ｌ２との間隔が広がり、第２レンズ群Ｌ２と第３レンズ群Ｌ３との間隔が狭まり、第３レンズ群Ｌ３と第４レンズ群Ｌ４との間隔が広がり、第４レンズ群Ｌ４と第５レンズ群Ｌ５との間隔が広がるように各レンズ群が移動している。
【００６２】
更に、広角端に対し望遠端にて、第１レンズ群Ｌ１、第３レンズ群Ｌ３、第４レンズ群Ｌ４は物体側に、第２レンズ群は像側に位置している。また第５レンズ群Ｌ５は物体側に凸状の軌跡にて移動している。以上のように各レンズ群を適切に移動させることで全系の小型化と高ズーム比化を図っている。
【００６３】
実施例１のズームレンズでは開口絞りＳＰは、光軸方向に関して、第３レンズ群Ｌ３内に配置している。開口絞りＳＰをこのように配置することにより望遠端における第２レンズ群Ｌ２と第３レンズ群Ｌ３の間隔が詰められるため、ズーミングのための第２レンズ群Ｌ２と第３レンズ群Ｌ３との間隔変化量を十分確保することができる。これにより高ズーム比のズームレンズを達成している。  実施例１のズームレンズでは第５レンズ群Ｌ５を物体側に移動させることで無限遠から近距離へのフォーカシングを行っている。
【００６４】
図３の実施例２のレンズ断面図において、Ｌ１は正の屈折力の第１レンズ群、Ｌ２は負の屈折力の第２レンズ群、Ｌ３は正の屈折力の第３レンズ群、Ｌ４は正の屈折力の第４レンズ群である。後群ＬＲは第４レンズ群Ｌ４より構成されている。
【００６５】
実施例２のレンズ断面図において、１１は第１レンズ群Ｌ１に含まれる負レンズＧ１ｎである。１２は第１レンズ群Ｌ１に含まれる正レンズＧ１ｐである。正レンズ１２で生じる色収差は負レンズ１１で補正している。実施例２のズームレンズでは、広角端に対して望遠端にて、各レンズ群のレンズ群間隔の変化は次のとおりである。第１レンズ群Ｌ１と第２レンズ群Ｌ２との間隔が広がり、第２レンズ群Ｌ２と第３レンズ群Ｌ３との間隔が狭まり、第３レンズ群Ｌ３と第４レンズ群Ｌ４との間隔が広がるように各レンズ群が移動している。
【００６６】
更に、広角端に対し望遠端にて、第１レンズ群Ｌ１、第３レンズ群Ｌ３は物体側に位置している。第２レンズ群Ｌ２は像側に凸軌跡にて、第４レンズ群Ｌ４は物体側に凸状の軌跡にて移動している。以上のように各レンズ群を適切に移動させることで全系の小型化と高ズーム比化を図っている。
【００６７】
実施例２のズームレンズでは開口絞りＳＰは、第３レンズ群Ｌ３の物体側にズーミングに際して第３レンズ群Ｌ３と一体で移動するように配置している。開口絞りＳＰを独立に移動させる場合と比べてメカ機構を簡素化して、鏡筒の小型化を図っている。実施例２のズームレンズでは第４レンズ群Ｌ４を物体側に移動させることで無限遠から近距離へのフォーカシングを行っている。
【００６８】
図５の実施例３のレンズ断面図において、Ｌ１は正の屈折力の第１レンズ群、Ｌ２は負の屈折力の第２レンズ群、Ｌ３は正の屈折力の第３レンズ群、Ｌ４は正の屈折力の第４レンズ群、Ｌ５は負の屈折力の第５レンズ群、Ｌ６は正の屈折力の第６レンズ群である。後群ＬＲは第４レンズ群Ｌ４と第５レンズ群Ｌ５と第６レンズ群Ｌ６より構成されている。
【００６９】
実施例３のレンズ断面図において、１１は第１レンズ群Ｌ１に含まれる負レンズＧ１ｎである。１２は第１レンズ群Ｌ１に含まれる正レンズＧ１ｐである。正レンズ１２で生じる色収差は負レンズ１１で補正している。
【００７０】
実施例３のズームレンズでは、広角端に対して望遠端にて、各レンズ群のレンズ群間隔の変化は次のとおりである。第１レンズ群Ｌ１と第２レンズ群Ｌ２との間隔が広がり、第２レンズ群Ｌ２と第３レンズ群Ｌ３との間隔が狭まり、第３レンズ群Ｌ３と第４レンズ群Ｌ４との間隔が狭まり、第４レンズ群Ｌ４と第５レンズ群Ｌ５との間隔が広がる。更に第５レンズ群Ｌ５と第６レンズ群Ｌ６との間隔が広がるように各レンズ群が移動している。
【００７１】
更に、広角端に対し望遠端にて、第１レンズ群Ｌ１、第３レンズ群Ｌ３、第４レンズ群Ｌ４、第５レンズ群Ｌ５、第６レンズ群Ｌ６は物体側に位置している。第２レンズ群は像側に凸軌跡にて移動している。以上のように各レンズ群を適切に移動させることで全系の小型化と高ズーム比化を図っている。
【００７２】
実施例３のズームレンズでは開口絞りＳＰは、第３レンズ群と第４レンズ群との間に配置している。第３レンズ群Ｌ３の正の屈折力と第４レンズ群Ｌ４の正の屈折力をある程度強めることで、大口径化に伴う軸上光束の広がりを抑え開口絞りＳＰの絞り径の増大を抑制している。実施例３のズームレンズでは第５レンズ群Ｌ５を像側に移動させることで無限遠から近距離へのフォーカシングを行っている。
【００７３】
図７の実施例４のレンズ断面図において、Ｌ１は正の屈折力の第１レンズ群、Ｌ２は負の屈折力の第２レンズ群、Ｌ３は正の屈折力の第３レンズ群、Ｌ４は正の屈折力の第４レンズ群、Ｌ５は負の屈折力の第５レンズ群である。後群ＬＲは第４レンズ群Ｌ４と第５レンズ群Ｌ５より構成されている。実施例４のレンズ断面図において、１１は第１レンズ群Ｌ１に含まれる負レンズＧ１ｎである。１２は第１レンズ群Ｌ１に含まれる正レンズＧ１ｐである。正レンズ１２で生じる色収差は負レンズ１１で補正している。
【００７４】
実施例４のズームレンズでは、広角端に対して望遠端にて、各レンズ群間隔の変化は次のとおりである。第１レンズ群Ｌ１と第２レンズ群Ｌ２との間隔が広がり、第２レンズ群Ｌ２と第３レンズ群Ｌ３との間隔が狭まり、第３レンズ群Ｌ３と第４レンズ群Ｌ４との間隔が狭まり、第４レンズ群Ｌ４と第５レンズ群Ｌ５との間隔が広がるように各レンズ群が移動している。
【００７５】
更に、広角端に対し望遠端にて、第１レンズ群Ｌ１、第３レンズ群Ｌ３、第４レンズ群Ｌ４は物体側に、第２レンズ群Ｌ２は像側に位置している。第５レンズ群Ｌ５は物体側に凸状の軌跡にて移動している。以上のように各レンズ群を適切に移動させることで全系の小型化と高ズーム比化を図っている。
【００７６】
実施例４のズームレンズでは開口絞りＳＰは、第２レンズ群Ｌ２と第３レンズ群Ｌ３との間に配置している。開口絞りＳＰをこのように配置することにより広角端にて第１レンズ群Ｌ１と開口絞りＳＰとの間隔を小さくすることができ、広角化の際の前玉径増大を抑制している。これにより広角化と全系の小型化を図っている。実施例４のズームレンズでは第４レンズ群Ｌ４を物体側に移動させることで無限遠から近距離へのフォーカシングを図っている。
【００７７】
図９の実施例５のレンズ断面図において、Ｌ１は正の屈折力の第１レンズ群、Ｌ２は負の屈折力の第２レンズ群、Ｌ３は正の屈折力の第３レンズ群、Ｌ４は負の屈折力の第４レンズ群、Ｌ５は正の屈折力の第５レンズ群である。後群ＬＲは第４レンズ群Ｌ４と第５レンズ群Ｌ５より構成されている。
【００７８】
また、実施例５のレンズ断面図において、１１は第１レンズ群Ｌ１に含まれる負レンズＧ１ｎである。また１２、１３は第１レンズ群Ｌ１に含まれる正レンズＧ１ｐに相当している。第１レンズ群Ｌ１を２つの正レンズ１２、１３で構成し、第１レンズ群Ｌ１が有する正の屈折力を分担している。２つの正レンズ１２、１３で生じる色収差は負レンズ１１で補正している。
【００７９】
実施例５のズームレンズでは、広角端に対して望遠端にて、各レンズ群のレンズ群間隔の変化は次のとおりである。第１レンズ群Ｌ１と第２レンズ群Ｌ２との間隔が広がり、第２レンズ群Ｌ２と第３レンズ群Ｌ３との間隔が狭まり、第３レンズ群Ｌ３と第４レンズ群Ｌ４との間隔が広がり、第４レンズ群Ｌ４と第５レンズ群Ｌ５との間隔が広がるように各レンズ群が移動している。
【００８０】
更に、広角端に対し望遠端にて、第１レンズ群Ｌ１、第３レンズ群Ｌ３、第４レンズ群Ｌ４は物体側に、第２レンズ群は像側に位置している。また第５レンズ群Ｌ５は物体側に凸状の軌跡にて移動している。以上のように各レンズ群を適切に移動させることで全系の小型化と高ズーム比化を図っている。
【００８１】
実施例５のズームレンズでは開口絞りＳＰは、第２レンズ群Ｌ２と第３レンズ群Ｌ３との間に配置している。開口絞りＳＰをこのように配置することにより広角端にて第１レンズ群Ｌ１と開口絞りＳＰとの間隔を小さくすることができ、広角化の際の前玉径増大を抑制している。これにより広角化と全系の小型化を図っている。実施例５のズームレンズでは第５レンズ群Ｌ５を物体側に移動させることで無限遠から近距離へのフォーカシングを行っている。
【００８２】
図１１の実施例６のレンズ断面図において、Ｌ１は正の屈折力の第１レンズ群、Ｌ２は負の屈折力の第２レンズ群、Ｌ３は正の屈折力の第３レンズ群、Ｌ４は負の屈折力の第４レンズ群、Ｌ５は正の屈折力の第５レンズ群である。後群ＬＲは第４レンズ群Ｌ４と第５レンズ群Ｌ５より構成されている。
【００８３】
また実施例６のレンズ断面図において、１１は第１レンズ群Ｌ１に含まれる負レンズＧ１ｎである。また１２、１３は第１レンズ群Ｌ１に含まれる正レンズＧ１ｐに相当している。第１レンズ群Ｌ１を２つの正レンズ１２、１３で構成し、第１レンズ群Ｌ１が有する正の屈折力を分担している。２つの正レンズ１２、１３で生じる色収差は負レンズ１１で補正している。
【００８４】
実施例６のズームレンズでは、広角端に対して望遠端にて、各レンズ群のレンズ群間隔の変化は次のとおりである。第１レンズ群Ｌ１と第２レンズ群Ｌ２との間隔が広がり、第２レンズ群Ｌ２と第３レンズ群Ｌ３との間隔が狭まり、第３レンズ群Ｌ３と第４レンズ群Ｌ４との間隔が広がり、第４レンズ群Ｌ４と第５レンズ群Ｌ５との間隔が広がるように各レンズ群が移動している。
【００８５】
更に、広角端に対し望遠端にて、第１レンズ群Ｌ１、第３レンズ群Ｌ３、第４レンズ群Ｌ４は物体側に、第２レンズ群は像側に位置している。また第５レンズ群Ｌ５は物体側に凸状の軌跡にて移動している。以上のように各レンズ群を適切に移動させることで全系の小型化と高ズーム比化を図っている。
【００８６】
実施例６のズームレンズでは開口絞りＳＰは、第２レンズ群Ｌ２と第３レンズ群Ｌ３との間に配置している。開口絞りＳＰをこのように配置することにより広角端にて第１レンズ群Ｌ１と開口絞りＳＰとの間隔を小さくすることができ、広角化の際の前玉径増大を抑制している。これにより広角化と全系の小型化を図っている。実施例６のズームレンズでは第５レンズ群Ｌ５を物体側に移動させることで無限遠から近距離へのフォーカシングを行っている。
【００８７】
図１３の実施例７のレンズ断面図において、Ｌ１は正の屈折力の第１レンズ群、Ｌ２は負の屈折力の第２レンズ群、Ｌ３は正の屈折力の第３レンズ群、Ｌ４は正の屈折力の第４レンズ群である。後群ＬＲは第４レンズ群Ｌ４より構成されている。
【００８８】
また、実施例７のレンズ断面図において、１１は第１レンズ群Ｌ１に含まれる負レンズＧ１ｎである。また１２、１３は第１レンズ群Ｌ１に含まれる正レンズＧ１ｐに相当している。第１レンズ群Ｌ１を２つの正レンズ１２、１３で構成し、第１レンズ群Ｌ１が有する正の屈折力を分担している。２つの正レンズ１２、１３で生じる色収差は負レンズ１１で補正している。
【００８９】
実施例７のズームレンズでは、広角端に対して望遠端にて、各レンズ群のレンズ群間隔の変化は次のとおりである。第１レンズ群Ｌ１と第２レンズ群Ｌ２との間隔が広がり、第２レンズ群Ｌ２と第３レンズ群Ｌ３との間隔が狭まり、第３レンズ群Ｌ３と第４レンズ群Ｌ４との間隔が広がるように各レンズ群が移動している。更に、広角端に対し望遠端にて、第１レンズ群Ｌ１、第３レンズ群Ｌ３は物体側に位置している。第２レンズ群Ｌ２は像側に凸軌跡にて、第４レンズ群Ｌ４は物体側に凸状の軌跡にて移動している。以上のように各レンズ群を適切に移動させることで全系の小型化と高ズーム比化を図っている。
【００９０】
実施例７のズームレンズでは開口絞りＳＰは、第３レンズ群Ｌ３の物体側にズーミングに際して第３レンズ群Ｌ３と一体で移動するように配置している。開口絞りＳＰを独立に移動させる場合と比べてメカ機構を簡素化して、鏡筒の小型化を図っている。実施例７のズームレンズでは第４レンズ群Ｌ４を物体側に移動させることで無限遠から近距離へのフォーカシングを行っている。また各実施例において第１レンズ群Ｌ１または第２レンズ群Ｌ２を移動させてフォーカシングを行っても良い。また各実施例では任意のレンズ群を光軸に対して垂直な方向の成分を持つように移動させて像ぶれ補正を行っても良い。
【００９１】
各実施例のズームレンズでは第１レンズ群Ｌ１が有する少なくとも１枚の正レンズＧ１ｐと少なくとも１枚の負レンズＧ１ｎの材料のアッベ数と部分分差比を適切に設定する。これにより二次スペクトルを含めた色収差の補正と像面湾曲、球面収差等の幾何収差を良好に補正している。特に第１レンズ群Ｌ１の小型化を図りつつ、望遠側において二次スペクトルを良好に補正立している。
【００９２】
まず二次スペクトルを良好に補正するには正レンズの材料と負レンズの材料の部分分散比の差を小さくするのが好ましい。しかしながら実在するレンズ材料において部分分散比の差が小さな材料はアッベ数の分布幅がそれほど広くはない。アッベ数差が小さい材料を無理に組合せて一次の色消しを行うと各レンズの屈折力が大きくなり、球面収差などの幾何収差が多く発生してくる。
【００９３】
また各レンズの屈折力が大きいとレンズ厚みが増大してきて全系が大型化してくる。従来、第１レンズ群Ｌ１の正レンズは低分散かつ部分分散比が大きい材料を用いることで負レンズとのアッベ数差を確保しながら部分分散比の差を小さくして一次の色消しと二次スペクトルを補正していた。従来、正レンズに用いる材料の例としては例えば株式会社オハラの商品名Ｓ−ＦＰＬ５１、Ｓ−ＦＰＬ５３などが挙げられる。これらの材料は屈折率が１．５を下回る低屈折率材料であり、レンズの屈折力を強めた際に広角側において像面湾曲、望遠側において球面収差が多く発生する傾向があった。
【００９４】
そこで各実施例のズームレンズでは第１レンズ群Ｌ１の少なくとも１枚の正レンズＧ１ｐらアッベ数が６０程度以下で屈折率がある程度大きい材料を用いている。またこの正レンズＧ１ｐの部分分散比はノーマルラインよりもある程度大きい材料を用いている。ここで言うノーマルラインとはアッベ数と部分分散比とのグラフにおいて株式会社オハラの材料である商品名ＮＳＬ７と商品名ＰＢＭ２の２点を結んだ直線を示す。
【００９５】
更に、第１レンズ群Ｌ１の少なくとも１枚の負レンズＧ１ｎは一次の色消しを良好に補正するために、正レンズＧ１ｐに対してある程度のアッベ数差となる高分散材料を用いている。またこの負レンズＧ１ｎの材料の部分分散比は高分散としては比較的小さい材料としている。
【００９６】
以上のように正レンズＧ１ｐと負レンズＧ１ｎの材料を設定することで、一次の色消しと二次スペクトルを良好に補正した上で、広角側において像面湾曲、望遠側において球面収差を良好に補正している。また、第１レンズ群Ｌ１の正の屈折力をある程度強めてレンズ全長の短縮を図り、かつ第１レンズ群Ｌ１のレンズ枚数をなるべく少なくなるようにしている。
【００９７】
次に本発明のズームレンズを撮影光学系として用いたデジタルカメラ（撮像装置）の実施形態を図１５を用いて説明する。図１５において、２０はデジタルカメラ本体、２１は上述の実施例のズームレンズによって構成された撮像光学系である。２２は撮像光学系２１によって被写体像（像）を受光するＣＣＤ等の撮像素子（光電変換素子）、２３は撮像素子２２が受光した被写体像を記録する記録手段である。２４は不図示の表示素子に表示された被写体像を観察するためのファインダーである。
【００９８】
上記表示素子は液晶パネル等によって構成され、撮像素子２２上に形成された被写体像が表示される。このように本発明のズームレンズをデジタルカメラ等の撮像装置に適用することにより、小型で高い光学性能を有する撮像装置を実現している。
【００９９】
以下、実施例１乃至７に対応する数値データを示す。各数値データにおいて、ｉは物体側から数えた面の番号を示す。ｒｉは第ｉ番目の光学面（第ｉ面）の曲率半径である。ｄｉは第ｉ面と第（ｉ＋１）面との軸上間隔である。尚、数値データ２における間隔ｄ１１と数値データ７における間隔ｄ１３の値が負となっているが、これは物体側から像側へ順に、開口絞りＳＰ、第３レンズ群Ｌ３の第１レンズ面と数えたためである。
【０１００】
ｎｄｉ、νｄｉはそれぞれｄ線に対する第ｉ番目の光学部材の材料の屈折率、アッベ数である。最も像側の２つの面はガラスブロックＧに相当している。非球面形状は光軸方向にＸ軸、光軸と垂直方向にＨ軸、光の進行方向を正としＲを近軸曲率半径、Ｋを円錐定数、Ａ４，Ａ６，Ａ８、Ａ１０を各々非球面係数としたとき、
【０１０１】
【数１】
2016212248.tif 000003
【０１０２】
なる式で表している。＊は非球面形状を有する面を意味している。「ｅ−ｘ」は１０-xを意味している。ＢＦはバックフォーカスであり、最終レンズ面から像面までの空気換算での距離を示している。レンズ全長は第１レンズ面から最終レンズ面までの距離にバックフォーカスＢＦの値を加えた値である。また、前述の各条件式と数値実施例との関係を（表−１）に示す。
【０１０３】
［数値データ１］
単位 mm
面データ
面番号       r        d      nd         νd      θgF
1         42.551    0.90   1.78760    23.4    0.610       
2         24.594    0.20                             
3*        24.560    3.48   1.53160    56.0    0.568       
4*       313.112    0.05                             
5         27.945    2.10   1.60311    60.6    0.541       
6        120.094  (可変)                             
7        104.978    0.45   1.83481    42.7    0.565       
8          6.141    3.65                             
9        -20.724    0.35   1.83481    42.7    0.565       
10         22.976    0.05                             
11         13.325    1.70   1.95906    17.5    0.660       
12        109.090  (可変)                             
13*         6.945    2.10   1.49710    81.6    0.538       
14*     -25985.566    1.34                             
15(絞り)    ∞       0.76                             
16          8.044    0.40   1.85478    24.8    0.612       
17          5.118    0.42                             
18*         6.619    2.20   1.49710    81.6    0.538       
19*       -46.534  (可変)                             
20        -19.268    0.40   1.77250    49.6    0.552       
21          7.231    1.35   1.76182    26.5    0.614       
22         20.934  (可変)                             
23         21.882    2.90   1.83481    42.7    0.565       
24        -13.421    0.40   1.92286    18.9    0.650       
25        -31.699  (可変)                             
26          ∞       0.80   1.51633    64.1    0.535       
27          ∞       1.20                             
像面        ∞   
【０１０４】
非球面データ
第3面
K  = 1.50465e-002  A 4= 2.73689e-007  A 6= 2.78728e-010 
A 8=-5.19217e-012  A10=-1.36601e-014  
第4面
K  = 2.31239e+001  A 4= 5.28960e-007  A 6=-5.99991e-010 
A 8= 8.41269e-012  A10=-6.56596e-014  
第13面
K  = 6.17352e-001  A 4=-4.53632e-004  A 6=-1.89343e-006 
A 8=-4.34095e-007  A10=-3.87922e-008  
第14面
K  = 7.84302e+007  A 4= 5.59479e-005  A 6= 1.19245e-005 
A 8=-1.28538e-006  
第18面
K  =-1.28853e+000  A 4= 1.13240e-003  A 6= 2.01460e-005 
A 8=-2.66249e-007  
第19面
K  = 8.59792e+001  A 4= 7.74975e-004  A 6= 1.40569e-005 
A 8= 1.14449e-007  
【０１０５】
各種データ
ズーム比    28.96 
広角     中間     望遠
焦点距離       4.56    16.00   132.12  
Fナンバー      3.27     4.61     7.49  
半画角（度）  40.58    13.68     1.67  
像高           3.33     3.88     3.88  
レンズ全長    64.18    68.67    85.47  
BF             8.40    17.19     4.64  
d 6            0.54    12.02    29.29  
d12           25.87     9.13     0.40  
d19            1.75     2.08     6.48  
d22            2.41     3.05    19.46  
d25            6.67    15.46     2.92  
【０１０６】
ズームレンズ群データ
群  始面    焦点距離  
1    1      43.58  
2    7      -6.82  
3   13      11.05  
4   20     -12.58  
5   23      16.91  
6   26       ∞    
【０１０７】
［数値データ２］
単位 mm
面データ
面番号       r        d      nd         νd      θgF
1         15.386    0.65   1.84663    20.9    0.621           
2         11.631    0.20                             
3*        11.549    3.75   1.53528    55.8    0.562       
4*       -96.929  (可変)                             
5*       -91.970    0.50   1.88202    37.2    0.577       
6*         5.427    2.50                             
7        -19.864    0.30   1.77250    49.6    0.552       
8         31.709    0.05                             
9         11.159    1.31   1.95906    17.5    0.660       
10         60.469  (可変)                             
11(絞り)    ∞      -0.20                             
12*         4.759    1.45   1.59201    67.0    0.536       
13*       -13.282    0.10                             
14          3.730    1.25   1.58144    40.8    0.577       
15        358.711    0.30   2.00100    29.1    0.600       
16          3.011  (可変)                             
17         10.978    1.71   1.60311    60.6    0.541       
18        148.512  (可変)                             
19          ∞       0.80   1.51633    64.1    0.535       
20          ∞       1.05                             
像面        ∞   
【０１０８】
非球面データ
第3面
K  = 5.96747e-003  A 4= 2.57067e-007  A 6=-1.14804e-007 
A 8=-8.92906e-011  
第4面
K  =-1.92958e+002  A 4=-4.57065e-006  A 6=-3.38950e-008 
A 8= 5.41910e-010  
第5面
K  =-2.52938e+003  A 4=-1.55241e-004  A 6= 5.54325e-006 
A 8=-6.80170e-008  
第6面
K  =-7.24225e-002  A 4= 1.86602e-004  A 6=-8.34245e-006 
A 8= 5.93805e-007  
第12面
K =-3.93247e-001  A 4=-3.25382e-004  A 6=-6.11797e-006  
第13面
K =-9.54374e+000  A 4=-6.94858e-006  
【０１０９】
各種データ
ズーム比    11.60 
広角     中間     望遠
焦点距離       4.59    24.52    53.24  
Fナンバー      3.67     5.42     7.19  
半画角（度）  39.41     8.90     4.06  
像高           3.14     3.88     3.88  
レンズ全長    38.78    44.89    52.03  
BF             4.25     9.40     4.76  
d 4            0.33    11.72    15.24  
d10           15.38     2.98     0.55  
d16            4.95     6.93    17.60  
d18            2.67     7.82     3.18  
【０１１０】
ズームレンズ群データ
群  始面    焦点距離  
1    1      29.16  
2    5      -6.19  
3   11       ∞    
4   12       9.55  
5   17      19.56  
6   19       ∞    
【０１１１】
［数値データ３］
単位 mm
面データ
面番号       r        d      nd         νd      θgF
1         29.671    1.10   1.84663    20.9    0.621       
2         23.542    0.30                             
3*        23.203    6.70   1.53160    56.0    0.568       
4*       682.124  (可変)                             
5       -860.824    0.75   1.91082    35.3    0.582       
6         13.116    5.70                             
7        -40.145    0.62   1.71300    53.9    0.546       
8         34.386    0.06                             
9         28.823    2.20   2.10420    17.0    0.663       
10        168.109  (可変)                             
11*        19.901    3.40   1.76802    49.2    0.551       
12*      -133.543    0.10                             
13         12.419    3.15   1.48749    70.2    0.530       
14         22.316    0.55   2.00069    25.5    0.613       
15         11.824    4.33                             
16(絞り)    ∞     (可変)                             
17*        20.164    2.10   1.69350    53.2    0.546       
18*       -53.243    0.96                             
19        -22.189    0.65   1.80518    25.4    0.616       
20       -112.691    3.05   1.48749    70.2    0.530       
21        -15.805  (可変)                             
22         50.344    1.41   1.83400    37.2    0.578       
23         42.789    1.79                             
24*       -21.148    0.70   1.85135    40.1    0.569       
25*     -1702.990  (可変)                             
26         29.086    3.50   1.91082    35.3    0.582       
27        138.101  (可変)                             
28          ∞       0.91   1.51633    64.1    0.535       
29          ∞       2.64                             
像面        ∞   
【０１１２】
非球面データ
第3面
K  = 3.76626e-003  A 4=-1.78021e-006  A 6=-1.82552e-009 
A 8=-1.76474e-012  
第4面
K  =-5.93197e+002  A 4=-2.33586e-006  A 6= 2.06160e-009 
A 8= 2.66359e-012  
第11面
K =-7.52643e-001  A 4=-9.39726e-007  A 6=-2.56527e-008  
第12面
K =-1.48910e+002  A 4=-2.92835e-006  A 6=-2.09887e-008  
第17面
K  =-1.43757e-001  A 4=-5.21406e-006  A 6= 2.24197e-007 
A 8= 1.47401e-009  
第18面
K  =-9.56178e-001  A 4= 1.71336e-005  A 6= 4.58028e-007 
A 8= 1.30475e-009  
第24面
K  =-2.76533e-001  A 4= 6.69074e-006  A 6= 3.22507e-006 
A 8=-3.79518e-008  
第25面
K  = 3.08554e+004  A 4= 5.57817e-005  A 6= 2.50340e-006 
A 8=-2.84890e-008  
【０１１３】
各種データ
ズーム比     4.72 
広角     中間     望遠
焦点距離      12.84    20.16    60.62  
Fナンバー      2.06     3.50     4.02  
半画角（度）  41.74    28.80    10.33  
像高           9.22    10.23    11.25  
レンズ全長    83.06    84.07   101.55  
BF             8.02    12.32    13.44  
d 4            0.85     5.41    19.20  
d10           21.95    12.46     0.30  
d16            2.64     3.01     1.30  
d21            1.68     3.03    10.93  
d25            4.79     4.73    13.26  
d27            4.78     9.08    10.20  
【０１１４】
ズームレンズ群データ
群  始面    焦点距離  
1    1      66.50  
2    5     -12.52  
3   11      27.77  
4   17      23.11  
5   22     -23.75  
6   26      39.85  
7   28       ∞  
【０１１５】
［数値データ４］
単位 mm
面データ
面番号       r        d      nd         νd      θgF
1         28.135    0.85   1.96470    15.2    0.632       
2         21.785    0.50                             
3         23.226    3.80   1.71000    44.0    0.590       
4*       549.345  (可変)                             
5        204.864    0.67   1.77250    49.6    0.552       
6          9.672    4.74                             
7*       -18.128    0.40   1.76802    49.2    0.551       
8         71.223    0.10                             
9         36.939    1.20   1.95906    17.5    0.660       
10       -180.591  (可変)                             
11(絞り)    ∞     (可変)                             
12*        13.657    3.00   1.76802    49.2    0.551       
13*       -41.312    0.10                             
14         13.110    2.51   1.83481    42.7    0.565       
15        376.344    0.45   1.85478    24.8    0.612       
16          8.448  (可変)                             
17         24.813    2.70   1.49700    81.5    0.537       
18        -18.546  (可変)                             
19        -13.676    0.40   1.85135    40.1    0.569       
20*        53.296    0.10                             
21         26.808    3.00   1.77250    49.6    0.552       
22        -21.205  (可変)                             
23          ∞       1.09   1.51633    64.1    0.535       
24          ∞       1.63                             
像面        ∞   
【０１１６】
非球面データ
第4面
K  =-1.78164e+002  A 4=-6.76029e-007  A 6= 4.24829e-009 
A 8=-3.27591e-011  A10= 1.29262e-013  
第7面
K  =-4.91644e-002  A 4=-1.56232e-005  A 6=-4.39999e-008 
A 8=-5.09946e-009  A10= 1.22866e-011  
第12面
K =-6.29187e-001  A 4=-3.66980e-005  A 6= 7.97108e-008  
第13面
K  =-1.14831e+000  A 4= 1.75810e-005  A 6= 7.61456e-008 
A 8=-1.40824e-009  A10= 1.57371e-011  
第20面
K  = 5.37718e+000  A 4= 5.50174e-005  A 6=-6.72954e-008 
A 8=-3.78078e-009  A10= 5.62602e-011  
【０１１７】
各種データ
ズーム比     3.92 
広角     中間     望遠
焦点距離       8.99    15.72    35.23  
Fナンバー      1.85     2.54     2.88  
半画角（度）  41.83    28.01    12.36  
像高           6.47     7.89     7.89  
レンズ全長    60.67    60.64    69.44  
BF             8.41    12.80    11.93  
d 4            0.30     4.44    15.20  
d10           12.28     3.89     0.85  
d11            5.34     4.41     0.31  
d16            8.40     7.62     6.58  
d18            1.41     2.96    10.05  
d22            6.07    10.46     9.58  
【０１１８】
ズームレンズ群データ
群  始面    焦点距離  
1    1      50.76  
2    5      -9.59  
3   11       ∞    
4   12      16.49  
5   17      21.81  
6   19    -113.87  
7   23       ∞
【０１１９】
［数値データ５］
単位 mm
面データ
面番号       r        d      nd         νd      θgF
1         95.887    1.48   1.78760    23.4    0.610       
2*        50.816    0.50                             
3*        51.563    4.00   1.65000    49.8    0.585       
4*      4378.039    0.05                             
5         51.125    3.00   1.49700    81.5    0.537       
6        151.764  (可変)                             
7         86.186    0.69   1.83481    42.7    0.565       
8          7.907    3.89                             
9       -194.003    0.55   1.80400    46.6    0.557       
10         91.767    1.44                             
11        -25.660    0.55   1.83481    42.7    0.565       
12         52.167    0.05                             
13         21.067    1.71   1.95906    17.5    0.660       
14          ∞     (可変)                             
15(絞り)    ∞     (可変)                             
16*         9.690    2.68   1.55332    71.7    0.540       
17*     -1257.009    2.09                             
18         21.150    0.50   1.77250    49.6    0.552       
19          8.648    0.45                             
20         10.825    0.50   1.85478    24.8    0.612       
21          8.135    3.68   1.49700    81.5    0.537       
22        -38.462  (可変)                             
23        -33.307    0.35   1.77250    49.6    0.552       
24         57.600    1.34   1.68893    31.1    0.600       
25        -77.213  (可変)                             
26         29.630    2.00   1.65844    50.9    0.556       
27        -30.679    0.46   1.95906    17.5    0.660       
28        -54.560  (可変)                             
29          ∞       0.80   1.51633    64.1    0.535       
30          ∞     (可変)                             
像面        ∞   
【０１２０】
非球面データ
第2面
K  =-5.74597e-002  A 4=-6.06008e-008  A 6=-9.95077e-011 
A 8=-2.55425e-013  
第3面
K  = 2.96438e-002  A 4= 9.94289e-008  A 6=-8.38725e-010 
A 8= 5.33062e-013  
第4面
K  = 1.69357e+004  A 4= 2.64661e-007  A 6=-7.60460e-010 
A 8= 9.03166e-013  
第16面
K  = 5.25569e-002  A 4=-5.38580e-005  A 6=-1.48289e-006 
A 8=-2.88427e-009  
第17面
K  = 6.95596e+004  A 4= 5.85147e-005  A 6=-1.45731e-006 
A 8= 2.08529e-008  
【０１２１】
各種データ
ズーム比    62.21 
広角     中間     望遠
焦点距離       3.90    87.23   242.64  
Fナンバー      3.50     5.70     6.69  
半画角（度）  44.85     2.56     0.91  
像高           3.18     3.88     3.88  
レンズ全長    95.13   141.09   146.23  
BF            11.41    25.38     9.18  
d 6            0.75    59.07    67.25  
d14           34.02     1.15     0.62  
d15           11.59     4.44     0.46  
d22            2.19    13.70    16.03  
d25            3.21     5.40    20.73  
d28            8.64    22.60     6.40  
d30            2.25     2.25     2.25  
【０１２２】
ズームレンズ群データ
群  始面    焦点距離  
1    1      85.64  
2    7      -8.60  
3   15       ∞    
4   16      18.70  
5   23     -64.46  
6   26      33.62  
7   29       ∞
【０１２３】
［数値データ６］
単位 mm
面データ
面番号       r        d      nd         νd      θgF
1         65.023    1.40   1.96470    15.6    0.632  
2*        44.843    0.40                             
3         41.223    4.50   1.49700    81.5    0.537       
4        194.230    0.05                             
5*        65.008    3.30   1.60737    27.0    0.634       
6*      1203.018  (可変)                             
7        127.074    0.69   1.83481    42.7    0.565       
8          8.283    4.31                             
9        -45.439    0.55   1.80400    46.6    0.557       
10         31.609    0.70                             
11        244.704    0.55   1.83481    42.7    0.565       
12         53.125    0.05                             
13         17.464    1.71   1.95906    17.5    0.660       
14         67.260  (可変)                             
15(絞り)    ∞     (可変)                             
16*         9.863    2.68   1.55332    71.7    0.540       
17*      -307.653    2.09                             
18         29.584    0.50   1.77250    49.6    0.552       
19          8.664    0.45                             
20         10.851    0.50   1.80518    25.4    0.615       
21          8.711    3.68   1.49700    81.5    0.537       
22        -37.453  (可変)                             
23        -16.862    0.35   1.77250    49.6    0.552       
24        -18.307    1.34   1.64769    33.8    0.594       
25        -19.895  (可変)                             
26         28.004    2.30   1.65844    50.9    0.556       
27        -36.401    0.46   1.95906    17.5    0.660       
28        -70.459  (可変)                             
29          ∞       0.80   1.51633    64.1    0.535       
30          ∞       2.25                             
像面        ∞   
【０１２４】
非球面データ
第2面
K  =-6.95331e-001  A 4= 5.37465e-007  A 6=-2.58421e-010 
A 8= 6.12281e-013  
第5面
K  =-2.68747e+000  A 4=-6.34244e-008  A 6=-3.75630e-009 
A 8= 1.38154e-012  
第6面
K  =-4.26088e+001  A 4=-2.13979e-007  A 6=-2.74981e-009 
A 8= 1.39738e-012  
第16面
K  =-1.01274e+000  A 4= 5.54089e-005  A 6=-9.55087e-007 
A 8=-8.93607e-008  
第17面
K  =-1.29763e+004  A 4=-5.01730e-005  A 6= 1.04378e-007 
A 8=-1.33124e-007  
【０１２５】
各種データ
ズーム比    61.21 
広角     中間     望遠
焦点距離       3.91    79.21   239.59  
Fナンバー      3.50     5.70     6.69  
半画角（度）  44.91     2.81     0.92  
像高           3.18     3.88     3.88  
レンズ全長    96.01   141.98   147.12  
BF            11.70    23.73     6.49  
d 6            0.75    59.07    67.25  
d14           34.02     1.15     0.62  
d15           11.59     4.44     0.46  
d22            2.19    13.70    16.03  
d25            3.21     7.34    23.70  
d28            8.92    20.95     3.71  
【０１２６】
ズームレンズ群データ
群  始面    焦点距離  
1    1      85.86  
2    7      -9.00  
3   15       ∞    
4   16      20.48  
5   23    -197.91  
6   26      34.91  
7   29       ∞  
【０１２７】
［数値データ７］
単位 mm
面データ
面番号       r        d      nd         νd      θgF
1*        50.404    0.90   1.96470    15.6    0.632     
2*        20.292    0.30                             
3         20.661    3.20   1.80809    22.8    0.631       
4        112.083    0.05                             
5         23.544    2.50   1.71300    53.9    0.546       
6        126.715  (可変)                             
7*       310.245    0.40   1.85135    40.1    0.569       
8*         6.462    2.74                             
9        -15.114    0.30   1.83481    42.7    0.565       
10         15.549    0.17                             
11         10.911    1.40   1.95906    17.5    0.660       
12         96.916  (可変)                             
13(絞り)    ∞      -0.20                             
14*         7.413    1.60   1.69350    53.2    0.546       
15*       -13.498    0.05                             
16          4.150    1.40   1.51823    58.9    0.546       
17         23.044    0.30   2.00100    29.1    0.600       
18          3.713  (可変)                             
19         11.214    2.35   1.63854    55.4    0.549       
20        -62.590    0.40   1.89286    20.4    0.639       
21        237.569  (可変)                             
22          ∞       0.80   1.51633    64.1    0.535       
23          ∞       1.32                             
像面        ∞   
【０１２８】
非球面データ
第1面
K  = 4.65672e-001  A 4= 1.37987e-006  A 6= 9.82127e-009 
A 8= 6.76668e-013  A10=-5.52104e-013  
第2面
K  = 9.56194e-002  A 4= 6.03597e-007  A 6= 2.34628e-009 
A 8= 9.56329e-011  A10=-1.25879e-012  
第7面
K  =-1.20623e+004  A 4= 1.73759e-004  A 6= 1.89536e-005 
A 8=-6.10131e-007  A10= 5.73071e-009  
第8面
K  = 1.05262e+000  A 4=-1.43265e-004  A 6= 2.32547e-005 
A 8= 6.36910e-007  A10= 3.06507e-009  
第14面
K  = 1.31619e+000  A 4=-1.10018e-003  A 6=-3.94536e-005 
A 8=-2.97945e-007  A10=-1.33732e-006  
第15面
K  = 1.63827e+001  A 4= 6.40314e-004  A 6= 3.98729e-005
A 8=-7.39982e-006  
【０１２９】
各種データ
ズーム比    17.04 
広角     中間     望遠
焦点距離       4.64    28.52    78.97  
Fナンバー      3.77     5.54     7.10  
半画角（度）  39.88     7.88     2.73  
像高           3.29     3.88     3.88  
レンズ全長    45.32    56.91    64.81  
BF             3.56    11.50     3.47  
d 6            0.48    16.14    21.96  
d12           16.18     3.25     0.48  
d18            7.24     8.17    21.05  
d21            1.71     9.65     1.62  
【０１３０】
ズームレンズ群データ
群  始面    焦点距離  
1    1      35.11  
2    7      -5.98  
3   13      10.28  
4   19      20.08  
5   22       ∞    
【０１３１】
【表１】
2016212248.tif 000004
【符号の説明】
【０１３２】
Ｌ１  第１レンズ群      Ｌ２  第２レンズ群      Ｌ３  第３レンズ群
Ｌ４  第４レンズ群      Ｌ５  第５レンズ群      Ｌ６  第６レンズ群
ＬＲ  後群
【図１】
2016212248.tif 000005
【図２】
2016212248.tif 000006
【図３】
2016212248.tif 000007
【図４】
2016212248.tif 000008
【図５】
2016212248.tif 000009
【図６】
2016212248.tif 000010
【図７】
2016212248.tif 000011
【図８】
2016212248.tif 000012
【図９】
2016212248.tif 000013
【図１０】
2016212248.tif 000014
【図１１】
2016212248.tif 000015
【図１２】
2016212248.tif 000016
【図１３】
2016212248.tif 000017
【図１４】
2016212248.tif 000018
【図１５】
2016212248.tif 000019